(57)【要約】      （修正有）【課題】照射光の照射角度を３通りに調節することができ、２つの取付面が直交する角部にも取付けることができ、美観に優れた照明器具を提供する。【解決手段】遮光性材料からなり開口が形成された容器状のフレーム２と、フレーム２内に収容された発光素子が設けられた回路基板と、透光性材料からなりフレーム２の開口を塞ぐ蓋部３とを備えており、フレーム部２は、平面視が長方形状の基底板２３と、基底板２３の１つの長辺部分に連続し、基底板２３に対して外角が４５度となるように起立して設けられた第１側板２４と、基底板２３の他の長辺部分に連続し、基底板２３に対して外角が４５度となるように起立して設けられた第２側板２５とを有する。【選択図】図１
0003203788.tif 000002
【実用新案登録請求の範囲】
【請求項１】
遮光性材料からなり開口が形成された容器状のフレームと、前記フレーム内に収容された発光素子が設けられた回路基板と、透光性材料からなり前記フレームの前記開口を塞ぐ蓋部と、を備える照明器具であって、
前記フレームは、
長板状の基底板と、
前記基底板の１つの長辺部分に連続し、前記基底板に対して外角が４５度となるように起立した長板状の第１側板と、
前記基底板の他の長辺部分に連続し、前記基底板に対して外角が４５度となるように起立した長板状の第２側板と、
を有する照明器具。
【請求項２】
前記回路基板上に複数の発光素子が前記基底板の長手方向に沿い一列に並んで設けられている請求項１記載の照明器具。
【請求項３】
前記発光素子は発光ダイオードである請求項１又は２記載の照明器具。
【考案の詳細な説明】
【技術分野】
【０００１】
本考案は、壁やショーケース等に取付けて使用する照明器具に関するものである。
【背景技術】
【０００２】
従来から、所望の箇所に取付けることで室内やショーケース等の中を照らす照明器具がある。
【０００３】
例えば、特許文献１には、光源と、光源を実装した基板と、基板を支持する支持フレームと、支持フレームの基板が設けられた面とは反対側の面に設けられビス孔が形成された取付治具とを備えて構成される照明器具が開示されている。この照明器具の壁面等への取付けは、ビスを取付治具のビス孔から挿入し所望の壁面等に螺合させることで行われる。
【０００４】
また、特許文献２には、２つ以上の発光ダイオード（ＬＥＤ）が直線上に並べられたＬＥＤパッケージが基板表面に直線上に並べ、この基板を１つの取付面を有し一面が開口部となっている矩形の、端部近傍にネジ穴が形成された器具本体内に取付け、開口部をリニアフレネルレンズで覆って形成された照明器具が開示されている。この照明器具の壁面等への取付けは、ネジを器具本体のネジ孔から挿入し所望の壁面等に螺合させることで行われる。
【０００５】
また、特許文献３には、複数のＬＥＤ素子が直線上に並べて設けられているＬＥＤ基板が器具本体内に収容され、器具本体の長手方向に垂直な面における断面が三角形状の照明器具が開示されている。この照明器具は壁面への取付けに供する取付面が２面設けられているとともに、他の１面は照射光の出射面となっている。この照明器具の壁面への取付けは、取付面を壁面等に接着剤や両面テープにより密着することで行われる。
【先行技術文献】
【特許文献】
【０００６】
【特許文献１】実用新案登録第３１８０２００号
【特許文献２】特開２００８−２１８１８６号公報
【特許文献３】特開２０１３−１６２９５５号公報
【考案の概要】
【考案が解決しようとする課題】
【０００７】
しかし、特許文献１に記載されている照明器具は、支持フレームから取付治具が突出した形態は美観上好ましくない。また、照明器具の取付角度は取付治具の形態に応じて単一の角度に定まってしまうため、照射光の照射角度を変更することはできなかった。
【０００８】
また、特許文献２に記載されている照明器具の取付けも、取付面を壁面等に当接させた状態でネジ止めすることで行われるため、照射光の照射角度を変更することはできなかった。
【０００９】
更に、特許文献３に記載されている照明器具は、断面形状が三角形であり取付面が２面設けられた構成であるため、照射光の照射角度は取付面に応じた２つの角度のみの間で変更可能であり、更に多くの照射角度へと変更可能であれば好ましい。また、この照明器具は断面形状が三角形であり、壁面と天井とが接する角部に取付ける場合にはこの角部に密着して、すなわち壁面と天井との２つの面に密着して取付けることはできない。
【００１０】
そこで本考案は上述した課題に鑑みてなされたものであり、照射光の照射角度を３通りに調節することができ、例えば天井と壁面との角部のような２つの取付面が交差する角部にも取付けることができ、美観に優れた照明器具を提供することを目的とする。
【課題を解決するための手段】
【００１１】
第１考案に係る照明器具は、遮光性材料からなり開口が形成された容器状のフレームと、前記フレーム内に収容された発光素子が設けられた回路基板と、透光性材料からなり前記フレームの前記開口を塞ぐ蓋部と、を備える照明器具であって、前記フレーム部は、平面視が長方形状の基底板と、前記基底板の１つの長辺部分に連続し、前記基底板に対して外角が４５度となるように起立して設けられた第１側板と、前記基底板の他の長辺部分に連続し、前記基底板に対して外角が４５度となるように起立して設けられた第２側板とを有することを特徴とする。
【００１２】
第１考案によれば、照射光の照射角度を３通りに調節することができ、天井と壁面との角部にも取付けることができ、美観に優れた照明器具を実現することができる。
【００１３】
第２考案に係る照明器具は、第１考案において、前記回路基板上に複数の発光素子が前記基底板の長手方向に沿い一列に並んで設けられていることを特徴とする。
【００１４】
第２考案によれば、照明器具の長手方向に沿う広い面積で投光することが可能となる。
【００１５】
第３考案に係る照明器具は、第１又は第２考案において、前記発光素子は発光ダイオードであることを特徴とする。
【００１６】
第３考案によれば、低消費電力で、かつ様々な色彩の照明器具とすることができる。
【考案の効果】
【００１７】
本考案によれば、照射光の照射角度を３通りに調節することができ、天井と壁面との角部にも取付けることができ、更に美観に優れた照明器具を提供することができる。そのため、例えばショーケース内等、照明器具の取付け可能箇所が容積面や美観面から制限される取付場所においても用いることができ、様々な照明効果を奏することが可能となる。
【図面の簡単な説明】
【００１８】
【図１】本考案の実施形態に係る照明器具を示す上方斜視図。
【図２】本考案の実施形態に係る照明器具を示す下方斜視図。
【図３】図１の照明器具のＡ−Ａ断面図。
【図４】本考案に係る照明器具の第１の取付例を示す模式図。
【図５】本考案に係る照明器具の第２の取付例を示す模式図。
【図６】本考案に係る照明器具の第３の取付例を示す模式図。
【図７】本考案に係る照明器具の第４の取付例を示す模式図。
【考案を実施するための形態】
【００１９】
以下、本考案の実施形態に係る照明器具について図を参照しつつ説明する。
【００２０】
図１は、本考案の実施形態に係る照明器具１を示す上方斜視図である。図２は、本稿案の実施形態に係る照明器具１を示す下方斜視図である。図３は、図１の照明器具１のＡ−Ａ断面図である。
【００２１】
照明器具１は、容器状のフレーム２と、フレーム２内に収容された発光素子７が設けられた回路基板６と、フレーム２を塞ぐ蓋部３とを備えて構成されている。
【００２２】
フレーム２は、遮光性材料からなり、開口部２７が形成された容器状の部材である。遮光性材料としては、遮光性の樹脂や金属等の他、樹脂やガラス等の透光性の材料の表面に遮光性塗料を塗布して形成した材料を用いることができる。
【００２３】
フレーム２は、長板状の基底板２３と、基底板２３の１つの長辺部分に連続し、基底板２３に対して外角が４５度となるように起立して設けられた長板状の第１側板２４と、基底板２３の他の長辺部分に連続し、基底板２３に対して外角が４５度となるように起立して設けられた長板状の第２側板２５と、を有して形成されている。
【００２４】
また、フレーム２は、基底板２３、第１側板２４及び第２側板２５の長手方向の両端部に取付けられる側壁部４を有して形成されている。
【００２５】
基底板２３の上面には、回路基板６が取付けられている。回路基板６には複数の発光素子７が基底板２３の長手方向に沿い一列に並んで設けられている。発光素子７をこのように並べて設けることで、照明器具１の長手方向に沿い広範囲に投光することが可能となる。
【００２６】
発光素子７としては蛍光灯や電球、ＬＥＤ等任意のものを用いることができるが、消費電力が低く、かつ様々な光の色を再現することのできるＬＥＤが好ましい。
【００２７】
発光素子７に対する電源の供給は、図示せぬ電源から電源ケーブル５を通じて回路基板６に送電され、更に回路基板６から発光素子７に送電されることで行われる。
【００２８】
なお電源ケーブル５は一方の側壁部４に形成された図示しない貫通孔を通じてフレーム２の内部から外部へと引き出されている。
【００２９】
第１側板２４と第２側板２５の端部（フレーム２の開口部２７の周縁部）にはそれぞれこれらの長手方向に沿って形成された突条部である一対の把持爪２１、２２が形成されている。
【００３０】
蓋部３は、樹脂やガラス等の透光性材料からなり、長手方向に垂直な断面が円弧状の本体部３１と、本体部３１の周囲に形成された縁部３２を有して形成されている。蓋部３のフレーム２への取付けは、縁部３２をフレーム２の把持爪２１、２２の間に挿入して行われる。
【００３１】
なお、本実施形態においては蓋部３のフレーム２への取付けを把持爪２１、２２を用いて行う態様としているが、本考案においてはこれに限らず、把持爪２１、２２を設ける代わりに接着剤による接着等、任意の方法で取付けることができる。また、フレーム２と蓋部３とを一体的に成形して形成してもよい。
【００３２】
次に、上述した構成を備える照明器具１の取付け箇所への取付けの態様について説明する。図４は、本考案に係る照明器具の第１の取付例を示す模式図である。
【００３３】
照明器具１は、例えば図４に示すように、垂直な壁面９１と水平な天井９２とにより形成される角部９３に取付けることができる。この場合は、鉛直方向に対して４５度傾いた方向に向けて照射光Ｌが照射されるが、この方向の周辺の方向についても拡散光が照射される。
【００３４】
この照明器具１の取付けは、第１側板２４を壁面９１に、第２側板２５を天井９２にそれぞれ固定することで行われる。
【００３５】
第１側壁２４と第２側壁２５の固定は両面テープや接着剤により行われる他、壁面９１と天井９２とが金属である場合にはシート状の磁石を第１側壁２４及び第２側壁２５に貼り付けることで行われてもよい。この取付方法は後述する他の取付例２〜４においても同様に採用することができる。
【００３６】
このように照明器具１を壁面９１と天井９２の両面に密着して取付けることで、照明器具１を強固に固定することができる。また、照明器具１を角部９３に取付けた状態において、照明器具１と壁面９１又は天井９２との間の隙間が外部から視認されることがなく、美観に優れた取付態様とすることができる。
【００３７】
なお、壁面と壁面とにより形成される角部についても図４に示した態様と同様に、両壁面に第１側壁２４と第２側壁２５とを固定することで照明器具１の取付を行うことができる。
【００３８】
図５は、本考案に係る照明器具１の第２の取付例を示す模式図である。
【００３９】
照明器具１の固定はまた、図５に示すように、第１側板２４を壁面９４に固定して行うこともできる。
【００４０】
この場合壁面９４に対して下方に４５度傾いた方向に向けて照射光Ｌが照射されるが、この方向の周辺の方向についても拡散光が照射される。
【００４１】
図６は、本考案に係る照明器具１の第３の取付例を示す模式図である。
【００４２】
照明器具１の固定はまた、図６に示すように、基底板２３を壁面９４に固定して行うこともできる。
【００４３】
この場合壁面９４に対して垂直な方向に向けて照射光Ｌが照射されるが、この方向の周辺の方向についても拡散光が照射される。
【００４４】
図７は、本考案に係る照明器具１の第４の取付例を示す模式図である。
【００４５】
照明器具１の固定はまた、図７に示すように、第２側板２５を壁面９４に固定して行うこともできる。
【００４６】
この場合壁面９４に対して上方に４５度傾いた方向に向けて照射光Ｌが照射されるが、この方向の周辺の方向についても拡散光が照射される。
【００４７】
上述した実施形態に係る照明器具１によると、壁面に対する固定に供する面を基底面２３、第１側板２４若しくは第２側板２５の何れか１面、又は第１側板２４及び第２側板２５の２面とすることができ、４つの取付態様による３通りの照射角度のうちから任意のものを選択することができる。
【００４８】
また、照明器具１から取付用の治具が突出していないため、良好な外観である照明器具１とすることができる。
【００４９】
更に、壁面と天井、又は壁と壁により形成される角部に対して照明器具１の取付けを行う場合、第１側板２４及び第２側板２５の２面を壁面と天井、又は壁と壁との間に隙間を生じること無く密着して取付けることが可能となり、美観に優れた取付態様とすることができる。
【符号の説明】
【００５０】
１      照明器具
２      フレーム
３      蓋部
４      側壁部
５      電源ケーブル
６      回路基板
７      発光素子
２３      基底板
２１、２２      把持爪
２４      第１側板
２５      第２側板
３１      本体部
３２      縁部
Ｌ      照射光
【図１】
0003203788.tif 000003
【図２】
0003203788.tif 000004
【図３】
0003203788.tif 000005
【図４】
0003203788.tif 000006
【図５】
0003203788.tif 000007
【図６】
0003203788.tif 000008
【図７】
0003203788.tif 000009